(57)【要約】【目的】永久的なエネルギー源として信頼できる風力や、水力を、更に有効に利用する技術が求められていた。【構成】各種の造流手段で人工的な流動力を発生させて、構造物に利用させるようにした、流動力利用の構造物を提供することにある。【選択図】　　　　図１
2004011635.tif 000002
【特許請求の範囲】
【請求項１】
回転円筒の内外に発生する流動力を、その軸方向の流動力に変化させる各種の造流手段、例えば、風車（１６）の各羽根の先端に、風上に向って開口自在に固定受流口Ａ（１７）を取り付けた造流手段Ａ（２０）とか、回転する円筒Ａ（２１）の内外周面や、その付属物に対して、流体の上流方向に向って開口するように固定受流口Ｂ（２２）を取り付けた造流手段Ｂ（２５）とか、を具備するか、または、回転する円筒Ｂ（３０）内で軸に対して垂直状に取り付け、流体の上流方向に向って開口するようにした、螺旋板Ａ（３１）を貫通して固定受流口Ｃ（３３）を片面のみに取り付けた造流手段Ｃ（２７）とか、円板Ａ（３２）を貫通して固定受流口Ｃ（３３）を片面のみに取り付けた造流手段Ｄ（３４）とかの、一方的排出を目的としたものか、もしくは、反転自在に両方排出を目的とした、螺旋板Ｂ（６９）を貫通して固定受流口Ｄ（７１）を対照的に両面に取り付けた造流手段Ｅ（７２）とか、円板Ｂ（７０）を貫通して固定受流口Ｄ（７１）を対照的に両面に取り付けた造流手段Ｆ（７３）とか、を具備し、発生させた駆動力、吸引力、または、ネット滲出力等を構造物に利用させるようにした、流動力利用の構造物。
【請求項２】
円筒状フィルター（３９）の内周で回転摺動をする螺旋状ブラシ（３７）を取り付け、この円筒状フィルター（３９）の摺動面を清掃させると共に、受流流体を所望の軸方向に誘導させるようにした、請求項１に記載の流動力利用の構造物。
【請求項３】
他方で排出できるようにした受流容器Ｂ（５０）と、この受流容器Ｂ（５０）の一方で回転摺動自在、且つ、一辺の円弧上に取り付けた直立部分と、この円弧面に開設した貫通部分とで構成する回転受流口（４７）と、を具備し、そして、常時風上方向の円心に向って開口自在になるようにして受流し、排出流体で発生させた駆動力や、ネット滲出力を構造物に利用させるようにした、流動力利用の構造物。
【請求項４】
外周端に任意のノズルＤ（１０６）を取り付けた各任意の風杯（１３）の背面に、自然回転、または、電動の風車（１６）を気密状に具備し、そして、回転に伴う風上の抵抗風を吸入、噴射させて、各任意の風杯（１３）に基礎駆動力を付与させるようにした、流動力利用の構造物。
【発明の詳細な説明】
【０００１】
【発明の属する技術分野】
本発明は、流動力利用の構造物に関する。
【０００２】
【従来の技術】
従来における発電装置等の駆動力ととなる風力や、水力は、不安定な自然条件により、使途が限定されていた。
【０００３】
【発明が解決しようとする課題】
永久的なエネルギー源として信頼できる風力や、水力を更に有効に利用する技術が求められていた。
【０００４】
本発明の目的は、各種の造流手段で人工的な流動力を発生させて構造物に利用させるようにした、流動力利用の構造物を提供することにある。
【０００５】
【課題を解決するための手段】
上記目的を達成するための本発明の、流動力利用の構造物は、回転円筒の内外に発生する流動力を、その軸方向の流動力に変化させる各種の造流手段、例えば、風車の各羽根の先端に、風上に向って開口するように固定受流口Ａを取り付けた造流手段Ａとか、回転する円筒Ａの内外周面や、その付属物に対して、流体の上流方向に向って開口するように固定受流口Ｂを取り付けた造流手段Ｂとか、を具備するか、または、回転する円筒Ｂ内で軸に対して垂直状に取り付け、流体の上流方向に向って開口するようにした、螺旋板Ａを貫通して固定受流口Ｃを片面のみに取り付けた造流手段Ｃとか、円板Ａを貫通して固定受流口Ｃを片面のみに取り付けた造流手段Ｄとかの、一方的排出を目的としたものか、もしくは、反転自在に両方排出を目的とした、螺旋板Ｂを貫通して固定受流口Ｄを対照的に両面に取り付けた造流手段Ｅとか、円板Ｂを貫通して固定受流口Ｄを対照的に両面に取り付けた造流手段Ｆとか、を具備し、発生させた駆動力、吸強力、または、ネット滲出力等を構造物に利用させるようにした。
【０００６】
更に、上記の本発明の、流動力利用の構造物に、円筒状フィルターの摺動面を清掃させると共に、受流流体を所望の軸方向に誘導させるようにする手段は、円筒状フィルターの内周で回転摺動をする螺旋状ブラシを取り付ける。
【０００７】
次に、上記両発明とは別の、流動力利用の構造物は、他方で排出できるようにした受流容器Ｂと、この受流容器Ｂの一方で回転摺動自在、且つ、一辺の円弧上に取り付けた直立部分と、この円弧上に開設した貫通部分とで構成する回転受流口と、を具備し、そして、常時風上方向の円心に向って開口自在になるようにして受流し、排出流体で発生させた駆動力や、ネット滲出力を構造物に利用させるようにした。
【０００８】
次に、上記３発明とは別の、流動力利用の構造物は、外周端に任意のノズルＤを取り付けた各任意の風杯の背面に、自然回転、または、電動の風車を気密状に具備し、そして、回転に伴う風上の抵抗風を吸入、噴射させて、各任意の風杯に基礎駆動力を付与させるようにした。
【０００９】
【発明の実施の形態】
以上の如く構成した本発明の、流動力利用の構造物は、何らかの駆動力により円筒を回転させることで、流体を所望の軸方向に移行させる、各種造流手段を単独、または、組み合せることで、構造物に駆動力や、吸引力、または、ネット滲出力を利用させるようにする。
【００１０】
上記におけるネット滲出力は、摩擦による減圧面を潤滑する、例えば、乗物の外装板や、スクリューの回転面等、減圧による振動、騒音、破損等の抑制に利用させるようにする。
【００１１】
円筒状フィルターに螺旋状ブラシを回転摺動させる排ガス対策は地球温暖化防止対策上、排ガス再焼却方式に勝るものである。
【００１２】
任意の風杯に、ロケット噴射機能や、回転に伴う前後の抵抗力の抑制機能を付与することにより、これを利用する構造物に基礎駆動力を利用させることができる。
【００１３】
【実施例】
実施例について、図面を参照しながら説明すると、図１は、本発明の流動力利用の構造物が、風力発電装置と、煙突排ガスろ過装置とを組み合わせた、各一例を示す、図２におけるＡＡ′断面の立面図である。
【００１４】
そして、図２は、図１における平面図であり、破線によってＢＢ′断面部分１と、ＣＣ′部分２と、ＤＤ′部分３と、ＥＥ′部分４とに４区分されている。
【００１５】
更に、図３は、本発明の、流動力利用の構造物が、高速車輌の屋上に設置の風力発電装置と、減圧抑制装置の各一例を示す、側面説明図である。
【００１６】
更に、図４は、本発明の、流動力利用の構造物が、船舶等の推進装置の一例を示す、平面説明図である。
【００１７】
更に、図５は、本発明の、流動力利用の構造物が、風力で駆動する水力発電装置の一例を示す、乗物の床下に設置の場合の立面説明図である。
【００１８】
そして、図６は、図５における平面図であり、破線によってＡＡ′断面部分７６と、ＢＢ′断面部分７７と、ＣＣ′断面部分７８と、ＤＤ′断面部分７９とに４区分されている。
【００１９】
次に、図７は、本発明の流動力利用の構造物に取り付ける、ロケット風杯の一例を示す、側面説明図である。
【００２０】
そして、図８は、図７のロケット風杯を利用した、風力発電装置の一例を示す、立面説明図である。
【００２１】
先づ、図１、２において、煙突５上の密閉を兼ねて、発電機Ａ７を支持する支持台６は、補強を兼ねて、排ガスを放射状に外部へ誘導する形状で、下面が円錐形に形成されている。
【００２２】
そして、支持台６上には、発電機Ａ７に隣接して複数のバッテリー８が、更に隣接して複数の助動用モーター９が、放射状に取り付けられている。
【００２３】
そして、発電機の回転軸Ａ１０を、フライホイール兼用の円盤Ａ１１で駆動させるために、固定具Ａ１２を介して複数の任意の風杯１３が、時計回りに回転するように取り付けられている。
【００２４】
一方、円盤Ａ１１の下面に形成されたエンドレスの歯形Ａ１４と、各助動用モーター９に取り付けられた歯車Ａ１５とが噛み合い、円盤Ａ１１の回転速度を調節するようになっている。
【００２５】
そして、各任意の風杯１３の背部には、風車１６と、その各羽根に並行して取り付けられ、一体状に回転する誘導管１８と、この各誘導管１８の集合点に任意の風杯１３を貫通して、垂直状に挿入するノズルＡ１９とが取り付けられている。
【００２６】
なお、上記のノズルＡ１９は、例えば、任意の風杯１３の内外に沿って単数、または、複数取り付けるようにしてもよい。
【００２７】
そして、各誘導管１８の外周端には、回転方向に向って開口する形状の固定受流口Ａ１７が取り付けられ、圧縮空気をノズルＡ１９からロケット噴射させるようになっている。
【００２８】
なお、例えば、蛇腹を取り付ける等で反動力を抑制したノズルＡ１９を、上記とは反対方向に噴射させれば、前方の任意の風杯１３に対する推進力が増強され、または、回転に伴う内面の減圧に伴う抵抗力が潤滑される。
【００２９】
更に、円盤Ａ１１外周部分に取り付けた円筒Ａ２１の内周に、回転方向に向って逆転状に開口する複数の固定受流口Ｂ２２が、上方に受流容器Ａ２３を取り付けている。
【００３０】
そして、各受流容器Ａ２３の上方には、時計回りに回転する任意の風杯１３群に近接する角度でノズルＢ２４が取り付けられ、造流手段Ｂ２５を構成している。
【００３１】
更に、別のエンドレスの歯形Ｂ２６が、円盤Ａ１１の下面で、歯形Ａ１４の外周に隣接して形成され、これに複数の歯車Ｂ２８が噛み合っていて、歯車Ｂ２８には回転軸Ａ２９が各取り付けられている。
【００３２】
そして、回転軸Ａ２９を中心として、円筒Ｂ３０との中空部分には、向って左側に螺旋板Ａ３１が取り付けられ、且つ、向って右側に複数の円板Ａ３２が上下状に取り付けられている。
【００３３】
そして、螺旋板Ａ３１と、各円板Ａ３２を貫通して固定受流口Ｃ３３を各上面に、且つ、時計回りの方向に開口させて、各多数取り付けている。
【００３４】
そして、上記の場合、螺旋板Ａ３１を取り付けた方が、造流手段Ｃ２７であり、円板Ａ３２を取り付けた方が、造流手段Ｄ３４である。
【００３５】
そして、造流手段Ｃ２７と、造流手段Ｄ３４とは、煙突５の上端で放射状に複数開設された各窓Ａ３５から、排ガスを吸入して急降下させるようになっていて、煙突５外壁に各形成させた複数の突起物３６と、カバーＡ４６とで気密状に各内蔵されている。
【００３６】
更に、造流手段Ｃ２７と、造流手段Ｄ３４との各下端の回転軸Ａ２９の延長部分には、螺旋状ブラシ３７が各取り付けられ、回転摺動で清掃される円筒状フィルター３９とで、排ガスクリーナー３８を構成している。
【００３７】
そして、その下方に取り付けられた支持板４０の灰落し孔４１から清掃ゴミが落下され、且つ、その中心部で各回転軸Ａ２９が軸受け支持され、更に、各円筒状フィルター３９の外周面には、有孔補強板４２が取り付けられ、共に上下部分を固定具Ｂ４３により、煙突５の外周面に取り付けられている。
【００３８】
そして、清掃ゴミは、煙突５外周の下部の螺旋状の排水溝４４に各落下して、矢印の如く通水することにより、排水管４５から除去される。
【００３９】
なお、前述における造流手段Ｃ２７、または、造流手段Ｄ３４は、逆転利用をして任意の風杯１３群に送風してもよい。
【００４０】
以上の如く図１、２で構成された、風力発電装置と、煙突排ガスろ過装置を組み合わせた実施例は、これを別々に利用してもよく、または、共に逆転利用や、横転利用をしてもよい。
【００４１】
次に、図３において、円筒状の受流容器Ｂ５０の上面で、回転摺動自在な回転受流口４７は、常時風上方向に向って開口自在に、弧片上に取り付けた直立部分と、この弧面に開設した貫通部分とで構成されている。
【００４２】
そして、円筒状の受流容器Ｂ５０内部の構造は、底面に排気管Ａ５３が取り付けられ、且つ、略中央部分で水平方向に取り付けた隔壁５１の、中心部を貫通して逆Ｔ字形の開閉弁４９が、上下摺動自在に取り付けられている。
【００４３】
そして、開閉弁４９の上端は、回転受流口４７の中空軸心内に挿入されて、止め金状に回転摺動自在に隔壁５１と、回転受流口４７間に引張りばね４８を介在させ、一定の受流圧力でばね作用に抗して開閉弁４９が開くようになっており、排気は開閉弁４９が密着する部分の隔壁５１に開設した小孔を過り行われる。
【００４４】
更に、排気管Ａ５３の他端は、混入雨水を除去するための気密排水器５４に接続し、圧縮空気のみが風力駆動機５６内に流入する。
【００４５】
そして、この風力駆動機５６の構造は、円筒状カバー５５内で、図１、２において詳述した、造流手段Ａ２０利用の任意の風杯１３群を回転させるものであり、前述と同様説明を省略した。
【００４６】
なお、鉄道車輌の場合には、長大な回転軸を多数の風力駆動機５６で駆動できる利点がある。
【００４７】
更に、風力駆動機５６に接続する排気管Ｂ５８は、他端で造流手段Ｇ７４を構成する受流容器Ｃ５９と接続している。
【００４８】
そして、受流容器Ｃ５９の一面には、滲出ネット６０が取り付けられていて、圧縮空気を連続滲出させることにより、下流の被流動面をカーテン状に潤滑して、摩擦による減圧で発生する騒音、振動等を抑させることができる。
【００４９】
以上の如く構成された図３における、風力駆動機による発電装置と、減圧抑制装置は車輌の床下に取り付けてもよく、その場合には気密排水器５４の必要がない。
【００５０】
次に、図４において、反転自在な駆動機６２の回転軸Ｃ６３に取り付けられた歯車Ｃ６４には、歯車Ｄ６５が噛み合い、更に同型の歯車Ｅ６６と、歯車Ｆ６７とが並行して噛み合い、従って、回転方向が交互に相反する構成になっている。
【００５１】
そして、各歯車の内周面に各円筒Ｃ６１が一体状に取り付けられているが、内部構造は、左右が螺旋板Ｂ６９を貫通して固定受流口７１を対照的に、両面に取り付けた造流手段Ｅ７２であり、中央が円板Ｂ７０を貫通して固定受流口Ｄ７１を対照的に、両面に取り付けた造流手段Ｆ７３である。
【００５２】
そして、共に各円筒Ｃ６１の両端は対照的に、円錐形に形成されており、回転、反転時同一方向に噴射自在である。
【００５３】
以上の如く構成された図４における、反転自在な駆動機６２は、船舶のみならず、補助推進機として、航空機等にも利用できる。
【００５４】
次に、図５、６において、発電機の回転軸Ｂ８０を有する発電機８１を埋没状に格納した形状の上板８２を、支持状に取り付けた円筒状の外装板８３の底面部分には、水槽８４が同軸状に取り付けられている。
【００５５】
そして、上記両者の間隙部分の下面には、複数の（図３で詳述した）回転受流口４７が、逆転状に取り付けられており、図示に対する同一説明を省略した。
【００５６】
そして、常時風上方向に向って開口できるようにした回転受流口４７を、回転摺動自在に下面に取り付けた受流容器Ｂ５０上面には、逆止弁Ａ８５の一端が取り付けられ、その他端が上方のドーナツ状ボンベＡ８６内に挿入状に取り付けられて、一定圧力の風を排出させるようになっている。
【００５７】
そして、ドーナツ状ボンベＡ８６の上面には、複数のノズルＣ８８が有効な角度で、時計回りの任意の風杯１３方向に向って取り付けられている。
【００５８】
そして、任意の風杯１３群からの排気は、相当位置の円筒状の外装板８３が、例えば、格子状に形成されて通風自在であるが、図示していない。
【００５９】
そして、各任意の風杯１３は、円筒Ｄ８９の外周面に取り付けられ、且つ、この円筒８９の内周面にエンドレスの歯形Ｃ９０が形成されて、複数の歯車Ｇ９１と噛み合っている。
【００６０】
そして、円筒Ｄ８９下端の内周部分が、ベアリングＡ８７を介して水槽８４上端の外周部分と、回転摺動自在に接続している。
【００６１】
そして、各歯車Ｇ９１には、（図１、２で詳述した）向って左側の造流手段Ｃ２７と、向って右側の造流手段Ｄ３４とが、各回転軸Ａ２９を中心として取り付けられているが、各内部の図示と同一説明を省略した。
【００６２】
そして、各回転軸Ａ２９の両端は上板８２の下面と、水槽８４の底面上との各軸受けＡ９２で、回転摺動自在に支持されている。
【００６３】
更に、円筒Ｄ８９外周面の上方に位置して、歯形Ｄ９３が形成されて、複数の歯車Ｈ９４と噛み合っている。
【００６４】
そして、各歯車Ｈ９４には、（図１、２で詳述した）向って左側の造流手段Ｃ２７と、向って右側の造流手段Ｄ３４とが、各回転軸Ａ２９を中心として取り付けられているが、各内部の図示と同一説明を省略した。
【００６５】
そして、上記各回転部分の上部が、上板８２に取り付けられた円筒状のカバーＢ９５で、回転摺動自在に洩水を防止して、各カバーＢ９５を開設した一定方向の窓Ｂ９６から噴射されるようになっている。
【００６６】
そして、上記各窓Ｂ９６からの噴流水は、発電機の回転軸Ｂ８０の下端と一体状に回転する、支軸９７の先端に取り付けられた、複数の羽根９８を駆動後、落下してリサイクルされ、発電機の回転軸Ｂ８０と、上板８２とは、ベアリングＢを介して回転摺動自在になっている。
【００６７】
一方、歯車Ｈ９４による造流手段Ｃ２７と、造流手段Ｄ３４とは、その回転部分を、上方のドーナツ状ボンベＢ１０１の下面に取り付けられた円筒状のカバーＣ１００が、気密保持状に取り付けられ、各逆止弁Ｂ１０２を介してドーナツ状ボンベＢ１０１内で空気圧縮される。
【００６８】
そして、ドーナツ状ボンベＢ１０１は、上板８２と、円筒状の外装板８３との一角に取り付けられ、且つ、円筒状の外装板８３の外周面に取り付けられた受流容器Ｄ１０５内に、逆止弁Ｃ１０４を介して排気される。
【００６９】
そして、受流容器Ｄ１０５に一端を取り付けたパイプ１０３の他端は、円筒状の外装板８３の下部を貫通して、ドーナツ状のボンベＡ８６内に挿入され、ドーナツ状のボンベＢ１０１の圧縮空気が一方的に補充される。
【００７０】
以上の如く図５、６で構成された、自然風力で発生させた駆動力で水力発電をさせる一例では、圧縮空気をパイプ移送する等で、所望の場所で水力発電ができる。
【００７１】
次に、図７において、任意の風杯１３の中央部を貫通して小孔が開設され、その前面に滲出ネット６０が取り付けられ、減圧による抵抗力が抑制される。
【００７２】
そして、任意の風杯１３の外周端部分には、任意のノズルＤ１０６が取り付けられていて、噴射による反動力が付与される。
【００７３】
そして、ノズルＤ１０６の外周は気密板１０７で、例えば、電動換気扇１０８との間を気密状に取り付けているが、自然風力だけでも一定の噴射効果が得られる。
【００７４】
以上の如く、図７において構成されたロケット風杯では、ノズルＤ１０６は、例えば、取り付け位置や、数量、形状等が任意であり、滲出ネット６０の取り付けも任意である。
【００７５】
次に、図８において、鉄塔１０９の内側で、水平状に支持された、例えば、４基の大型ボンベ１１０の中心部に直立する発電機の回転軸Ｃ１１２が、軸受けＢ１１３に支持されている。
【００７６】
そして、発電機の回転軸Ｃ１１２に取り付けられた、２基のフライホイール１１４の外周部分には、方形の任意の風杯１３群が時計回り状に取り付けられている。
【００７７】
そして、方形の任意の風杯１３群の鉄塔１０９寄り各部分には、３本のノズルＤ１０９が取り付けられ、且つ、受風中央部分に滲出ネット６０が図示せられて、図７で詳述したロケット風杯を構成しており、以下前述と同様説明を省略した。
【００７８】
そして、両フライホイール１１４の両面には、対照的に円筒Ｅ１１５が取り付けられ、且つ、その内周面に歯形Ｅ１１６が形成されている。
【００７９】
そして、各歯形Ｅには、複数の歯車Ｉ１１７が噛み合い、且つ、各歯車Ｉ１１７には、一体状に回転する前述の造流手段Ｃ２７が取り付けられていいるが、前述の造流手段Ｄ３４でも、造流手段Ａ２０等でもよく、前記と同様の内部の図示と説明を省略した。
【００８０】
そして、各造流手段Ｃ２７の他端は、両大型ボンベ１１０内に挿入されて、エアーコンプレッサーを構成している。
【００８１】
そして、両任意の風杯１３群に対し、上下両方向から、時計回りに斜方向から、ノズルＥ１１８群が噴射するように、両大型ボンベ１１０に取取り付けている。
【００８２】
なお、受風状況の変化に対応して、各電動換気扇１０８に対する配電数をコントロールするようにコンピューター制御をしてもよい。
【００８３】
以上の如く図８で構成された、ロケット風杯利用の発電装置では、基礎駆動力が常時保持され、無風状態においても一定値の発電ができる利点がある。
【００８４】
【発明の効果】
本発明の各流動力利用の構造物は、以上のように構成されているので、以下に記載するような効果を奏する。
【００８５】
各種の造流手段を組み合せることにより、所望の風力や、水力による発電装置が提供できる。
【００８６】
風力発電装置等の駆動力により、煙突排ガスや、自動車排ガス等のろ過装置が提供できる。
【００８７】
船舶等の推進装置が提供できる。
【００８８】
被流動面の摩擦による減圧を潤滑して、騒音や、振動、破損等の被害を抑制させることができる。
【００８９】
ロケット風杯利用による基礎駆動力の付与で、風力発電等の機能が向上する。
【図面の簡単な説明】
【図１】風力発電装置と、煙突排ガスろ過装置の組み合わせの立面図である。
【図２】図１における平面図である。
【図３】高速車輌用風力発電装置と、減圧抑制装置との、組み合せの側面説明図である。
【図４】船舶等推進装置の平面説明図である。
【図５】風力で駆動する水力発電装置の立面説明図である。
【図６】図５における平面図である。
【図７】ロケット風杯の側面説明図である。
【図８】ロケット風杯利用の風力発電装置の立面説明図である。
【符号の説明】
１　ＢＢ′断面部分
２　ＣＣ′断面部分
３　ＤＤ′断面部分
４　ＥＥ′断面部分
５　煙突
６　支持台
７　発電機Ａ
８　バッテリー
９　助動用モーター
１０　発電機の回転軸Ａ
１１　円盤Ａ
１２　固定具Ａ
１３　任意の風杯
１４　歯形Ａ
１５　歯車Ａ
１６　風車
１７　固定受流口Ａ
１８　誘導管
１９　ノズルＡ
２０　造流手段Ａ
２１　円筒Ａ
２２　固定受流口Ｂ
２３　受流容器Ａ
２４　ノズルＢ
２５　造流手段Ｂ
２６　歯形Ｂ
２７　造流手段Ｃ
２８　歯車Ｂ
２９　回転軸Ａ
３０　円筒Ｂ
３１　螺旋板Ａ
３２　円板Ａ
３３　固定受流口Ｃ
３４　造流手段Ｄ
３５　窓Ａ
３６　突起物
３７　螺旋状ブラシ
３８　排ガスクリーナー
３９　円筒状フィルター
４０　支持板
４１　灰落し孔
４２　有孔補強板
４３　固定具Ｂ
４４　排水溝
４５　排水管
４６　カバーＡ
４７　回転受流口
４８　引張りばね
４９　開閉弁
５０　受流容器Ｂ
５１　隔壁
５２　通気孔
５３　排気管Ａ
５４　気密排水器
５５　円筒状カバー
５６　風力駆動機
５７　回転軸Ｂ
５８　排気管Ｂ
５９　受流容器Ｃ
６０　滲出ネット
６１　円筒Ｃ
６２　駆動機
６３　回転軸Ｃ
６４　歯車Ｃ
６５　歯車Ｄ
６６　歯車Ｅ
６７　歯車Ｆ
６８　回転軸Ｄ
６９　螺旋板Ｂ
７０　円板Ｂ
７１　固定受流口Ｄ
７２　造流手段Ｅ
７３　造流手段Ｆ
７４　造流手段Ｇ
７５　減圧抑制装置
７６　ＡＡ′断面部分
７７　ＢＢ′断面部分
７８　ＣＣ′断面部分
７９　ＤＤ′断面部分
８０　発電機の回転軸Ｂ
８１　発電機Ｂ
８２　上板
８３　円筒状の外装板
８４　水槽
８５　逆止弁Ａ
８６　ドーナツ状ボンベＡ
８７　ベアリングＡ
８８　ノズルＣ
８９　円筒Ｄ
９０　歯形Ｃ
９１　歯車Ｇ
９２　軸受けＡ
９３　歯形Ｄ
９４　歯車Ｈ
９５　カバーＢ
９６　窓Ｂ
９７　支軸
９８　羽根
９９　ベアリングＢ
１００　カバーＣ
１０１　ドーナツ状ボンベＢ
１０２　逆止弁Ｂ
１０３　パイプ
１０４　逆止弁Ｃ
１０５　受流容器Ｄ
１０６　ノズルＤ
１０７　気密板
１０８　電動換気扇
１０９　鉄塔
１１０　大型ボンベ
１１１　発電機Ｃ
１１２　発電機の回転軸
１１３　軸受けＢ
１１４　フライホイール
１１５　円筒Ｅ
１１６　歯形Ｅ
１１７　歯車Ｉ
１１８　ノズルＥ
【図１】
2004011635.tif 000003
【図２】
2004011635.tif 000004
【図３】
2004011635.tif 000005
【図４】
2004011635.tif 000006
【図５】
2004011635.tif 000007
【図６】
2004011635.tif 000008
【図７】
2004011635.tif 000009
【図８】
2004011635.tif 000010
【手続補正書】
【提出日】平成15年1月16日(2003.1.16)
【手続補正１】
【補正対象書類名】明細書
【補正対象項目名】特許請求の範囲
【補正方法】変更
【補正の内容】
【特許請求の範囲】
【請求項１】
回転円筒の内外において流入させる流体を、その軸方向に誘導して流動力にする、各種の造流手段、例えば、風車（１６）の各羽根裏面に取り付けた誘導管（１８）の先端に、風上に向って開口自在に固定受流口Ａ（１７）を取り付けてノズルＡ（１９）に噴射力を発生させる、造流手段Ａ（２０）とか、回転する円筒Ａ（２１）の内外周面や、その付属物に対して、流体の上流方向に向って開口するように固定受流口Ｂ（２２）を取り付けて、例えば、任意の風杯（１３）に風力を補充する等の、造流手段Ｂ（２５）とか、を具備するか、または、回転する円筒Ｂ（３０）の内面と軸間に垂直状に取り付けた、螺旋板Ａ（３１）の流動反軸方向面の複数な貫通孔に、螺旋回転方向に向って開口するように固定受流口Ｃ（３３）を取り付けた、造流手段Ｃ（２７）とか、螺旋板Ａ（３１）に代替して複数の円板Ａ（３２）に上記同様な方法により、円筒回転方向に向って開口するように固定受流口Ｃ（３３）を取り付けて、同様効果を発生させる、造流手段Ｄ（３４）とか、の一定方向のみに、例えば、噴射することを目的としたものか、もしくは、円筒反転自在に両方向に、例えば、噴射することを目的として、例えば、船舶の推進力に利用させるように、螺旋板Ｂ（６９）の貫通孔に固定受流口Ｄ（７１）を対照的に両面に取り付けた造流手段Ｅ（７２）とか、螺旋板Ｂ（６９）に代替して、複数の円板Ｂ（７０）に上記同様な方法により固定受流口Ｄ（７１）を取り付けて同様効果を発生させる、造流手段Ｆ（７３）とか、を具備し、そして、発生させた風力供給力、噴射力、吸引力、または、防風ネットの原理による滲出ネット（６０）を、被流動面に介入させて発生する減圧抑制力等を、構造物に利用させるようにした、流動力利用の構造物。
【請求項２】
造流手段Ｃ（２７）、または、造流手段Ｄ（３４）を利用しした煙突（５）の下端外周に接続して、円筒状フィルター（３９）の内周面を回転摺道をする螺旋状ブラシ（３７）で、清掃させると共に、受流流体を所望の軸方向に誘導させるようにした、請求項１に記載の流動力利用の構造物。
【請求項３】
他端で排出させるようにした円筒状の受流容器Ｂ（５０）と、受流容器Ｂ（５０）の一端で円板Ｃ（１１９）が回転摺動自在で、且つ、円板Ｃ（１１９）の一円孤上に取り付けた直立部分（１２０）と、直立部分（１２０）が位置する円孤面に開設した貫通部分（１２１）とで構成する回転受流口（４７）を具備し、そして、常時円孤形の直立部分（１２０）が風上方向に開口して有効に受流し、他端よりの排出流体を駆動力、または、防風ネットの原理による滲出ネット（６０）を被流動面に介入させて発生する減圧抑制力等を構造物に利用させるようにした、流動力利用の構造物。
【請求項４】
任意の風杯（１３）の外周後端で、自然風力以外の加圧風力を供給する一手段として、任意のノズルＤ（１０６）を任意の箇所に取り付けた、各位置の任意の風杯（１３）に対して、自然回転、または、電動の風車（１６）を気密状に具備し、そして、回転に伴う風上の抵抗風を吸入、噴射させ、全位置の任意の風杯（１３）に均等化した基礎駆動力を発生させるようにした、流動力利用の構造物。
【手続補正２】
【補正対象書類名】明細書
【補正対象項目名】０００５
【補正方法】変更
【補正の内容】
【０００５】
【課題を解決するための手段】
上記目的を達成するための本発明の、流動力利用の構造物は、回転円筒の内外において流入させる流体を、その軸方向に誘導して流動力にする、各種の造流手段、例えば、風車の各羽根裏面に取り付けた誘導管の先端に、風上に向って開口自在に固定受流口Ａを取り付けてノズルＡに噴射力を発生させる、造流手段Ａとか、回転する円筒Ａの内外周面や、その付属物に対して、流体の上流方向に向って開口するように固定受流口Ｂを取り付けて、例えば、任意の風杯に風力を補充する等の、造流手段Ｂとか、を具備するか、または、回転する円筒Ｂの内面と軸間に垂直状に取り付けた螺旋板Ａの流動反軸方向面の複数な貫通孔に、螺旋回転方向に向って開口するように固定受流口Ｃを取り付けた、造流手段Ｃとか、螺旋板Ａに代替して複数の円板Ａに上記同様な方法により、円筒回転方向に向って開口するように固定受流口Ｃを取り付けて、同様効果を発生させる、造流手段Ｄとか、とかの一定方向のみに、例えば、噴射することを目的としたものか、もしくは、円筒反転自在に両方向に、例えば、噴射することを目的として、例えば、船舶の推進力に利用させるように螺旋板Ｂの貫通孔に固定受流孔Ｄを対照的に両面に取り付けた、造流手段Ｅとか、螺旋板Ｂに代替して、複数の円板Ｂに上記同様な方法により固定受流口Ｄを取り付けて同様効果を発生させる、造流手段Ｆとか、を具備し、そして、発生させた、風力供給力、噴射力、吸引力、または、防風の原理による滲出ネットを、被流動面に介入させて発生する減圧抑制力等を、構造物に利用させるようにした。


【手続補正３】
【補正対象書類名】明細書
【補正対象項目名】０００６
【補正方法】変更
【補正の内容】
【０００６】
更に、上記の本発明の、流動力利用の構造物に、円筒状フィルターの内周面を回転摺動をする螺旋状ブラシで、清掃させると共に、受流流体を所望の軸方向に誘導させるようにする手段は、造流手段Ｃ、または、造造流手段Ｄを利用した煙突の下端外周に接続する。


【手続補正４】
【補正対象書類名】明細書
【補正対象項目名】０００７
【補正方法】変更
【補正の内容】
【０００７】
更に、上記両発明とは別の本発明の、流動力利用の構造物は、他端で排出させるようにした円筒状の受流容器Ｂと、受流容器Ｂの一端で円板Ｃが回転摺動自在で、且つ、円板Ｃの一円孤上に取り付けた直立部分と、直立部分が位置する円孤面に開設した貫通部分とで構成する回転受流口を具備し、そして、常時円孤形の直立部分が風上方向に開口して有効に受流し、他端よりの排出流体を駆動力、または、防風ネットの原理による滲出ネットを被流面に介入させて発生する、減圧抑制力等を構造物に利用させるようにした。


【手続補正５】
【補正対象書類名】明細書
【補正対象項目名】０００８
【補正方法】変更
【補正の内容】
【０００８】
更に、上記３発明とは別の本発明の、流動力利用の構造物は、任意の風杯の外周後端で、自然風力以外の加圧風力を供給する一手段として、任意のノズルＤを任意の箇所に取り付けた、各位置の任意の風杯に対して、自然回転、または、電動の風車を気密状に具備し、そして、回転に伴う抵抗風を吸入、噴射させ、全位置の任意の風林に均等化した基礎駆動力を発生させるようにした。


【手続補正６】
【補正対象書類名】明細書
【補正対象項目名】０００９
【補正方法】変更
【補正の内容】
【０００９】
【発明の実施の形態】
以上の如く構成した本発明の各流動力利用の構造物を利用することにより、風力供給力、流体噴射力を自在に発生できる他、例えば、揚水や、水圧付加ができるので、所望の構造物で水力発電も実施できる。


【手続補正７】
【補正対象書類名】明細書
【補正対象項目名】００１０
【補正方法】変更
【補正の内容】
【００１０】
更に、減圧抑制力を発生させる滲出ネットの介入は、高速乗物の外装板や、スクリューの被減圧面の破損防止等、広範囲に利用できる。


【手続補正８】
【補正対象書類名】明細書
【補正対象項目名】００１２
【補正方法】変更
【補正の内容】
【００１２】
以上により、本発明の、各流動力利用の構造物は目的を達成できる。


【手続補正９】
【補正対象書類名】明細書
【補正対象項目名】００４１
【補正方法】変更
【補正の内容】
【００４１】
次に、図３において、円筒状の受流容器Ｂ５０の上端で、回転摺動自在に円板Ｃ１１９を取り付けた回転受流口４７は、風圧で常時風上に向って開口させるために、円板Ｃ１１９の一孤面上に沿った形状の直立部分１２０を一体状に取り付け、且つ、この孤面に開設して有効に受流する貫通部分１２１とで構成されている。


【手続補正１０】
【補正対象書類名】明細書
【補正対象項目名】符号の説明
【補正方法】変更
【補正の内容】
【符号の説明】
１　ＢＢ′断面部分
２　ＣＣ′断面部分
３　ＤＤ′断面部分
４　ＥＥ′断面部分
５　煙突
６　支持台
７　発電機Ａ
８　バッテリー
９　助動用モーター
１０　発電機の回転軸Ａ
１１　円盤Ａ
１２　固定具Ａ
１３　任意の風杯
１４　歯形Ａ
１５　歯車Ａ
１６　風車
１７　固定受流口Ａ
１８　誘導管
１９　ノズルＡ
２０　造流手段Ａ
２１　円筒Ａ
２２　固定受流口Ｂ
２３　受流容器Ａ
２４　ノズルＢ
２５　造流手段Ｂ
２６　歯形Ｂ
２７　造流手段Ｃ
２８　歯車Ｂ
２９　回転軸Ａ
３０　円筒Ｂ
３１　螺旋板Ａ
３２　円板Ａ
３３　固定受流口Ｃ
３４　造流手段Ｄ
３５　窓Ａ
３６　突起物
３７　螺旋状ブラシ
３８　排ガスクリーナー
３９　円筒状フィルター
４０　支持板
４１　灰落し孔
４２　有孔補強板
４３　固定具Ｂ
４４　排水溝
４５　排水管
４６　カバーＡ
４７　回転受流口
４８　引張りばね
４９　開閉弁
５０　受流容器Ｂ
５１　隔壁
５２　通気孔
５３　排気管Ａ
５４　気密排水器
５５　円筒状カバー
５６　風力駆動機
５７　回転軸Ｂ
５８　排気管Ｂ
５９　受流容器Ｃ
６０　滲出ネット
６１　円筒Ｃ
６２　駆動機
６３　回転軸Ｃ
６４　歯車Ｃ
６５　歯車Ｄ
６６　歯車Ｅ
６７　歯車Ｆ
６８　回転軸Ｄ
６９　螺旋板Ｂ
７０　円板Ｂ
７１　固定受流口Ｄ
７２　造流手段Ｅ
７３　造流手段Ｆ
７４　造流手段Ｇ
７５　減圧抑制装置
７６　ＡＡ′断面部分
７７　ＢＢ′断面部分
７８　ＣＣ′断面部分
７９　ＤＤ′断面部分
８０　発電機の回転軸Ｂ
８１　発電機Ｂ
８２　上板
８３　円筒状の外装板
８４　水槽
８５　逆止弁Ａ
８６　ドーナツ状ボンベＡ
８７　ベアリングＡ
８８　ノズルＣ
８９　円筒Ｄ
９０　歯形Ｃ
９１　歯車Ｇ
９２　軸受けＡ
９３　歯形Ｄ
９４　歯車Ｈ
９５　カバーＢ
９６　窓Ｂ
９７　支軸
９８　羽根
９９　ベアリングＢ
１００　カバーＣ
１０１　ドーナツ状ボンベＢ
１０２　逆止弁Ｂ
１０３　パイプ
１０４　逆止弁Ｃ
１０５　受流容器Ｄ
１０６　ノズルＤ
１０７　気密板
１０８　電動換気扇
１０９　鉄塔
１１０　大型ボンベ
１１１　発電機Ｃ
１１２　発電機の回転軸
１１３　軸受けＢ
１１４　フライホイール
１１５　円筒Ｅ
１１６　歯形Ｅ
１１７　歯車Ｉ
１１８　ノズルＥ
１１９　円板Ｃ
１２０　直立部分
１２１　貫通部分


【手続補正１１】
【補正対象書類名】図面
【補正対象項目名】図３
【補正方法】変更
【補正の内容】
【図３】
2004011635.tif 000011
【手続補正１２】
【補正対象書類名】図面
【補正対象項目名】図５
【補正方法】変更
【補正の内容】
【図５】
2004011635.tif 000012
【手続補正１３】
【補正対象書類名】図面
【補正対象項目名】図６
【補正方法】変更
【補正の内容】
【図６】
2004011635.tif 000013